(57)【要約】  入力ビデオストリームの画像を復号化するデコーダ（１０、１００、１０００）は、本来の画質を向上するために、ビデオ符号化の後に、ランダムノイズを含むディザ信号を画像に加えるノイズ発生器を有する。ノイズ発生器は、前の画像の画素の付加的ノイズに関連する量のノイズを各画素に付加する。前の画像とは、既に表示された画像（つまり、既にノイズを付加され復号化された画像）又は既に復号化された画像の何れかである。
2007503166.tif 000002
【特許請求の範囲】
【請求項１】
ビデオストリームを復号化するステップと、
復号化に続き、前記ビデオストリームの画像の少なくとも１つの画素に、少なくとも１つの前の画像に付加されたノイズに関連した量のノイズを付加するステップ
とを有する、ビデオストリームのアーティファクト低減方法。
【請求項２】
前記少なくとも１つの前の画像は、予め表示された画像を有する、請求項１記載のアーティファクト低減方法。
【請求項３】
前記少なくとも１つの前の画像は、予め復号化された画像を有する、請求項１記載のアーティファクト低減方法。
【請求項４】
ノイズの量は、０≦α≦１を満たす値を有する相関係数αに従って関係づけられる、請求項１記載のアーティファクト低減方法。
【請求項５】
ノイズの量は、有限インパルス応答（ＦＩＲ）フィルタの具体例を用いて関連付けられる、請求項１記載のアーティファクト低減方法。
【請求項６】
ノイズの量は、無限インパルス応答（ＩＩＲ）フィルタの近似を用いて関連付けられる、請求項１記載のアーティファクト低減方法。
【請求項７】
前記ビデオストリームからビットストリーム情報を抽出するステップと、
前記ビットストリーム情報に従って付加されるノイズの強度を決定するステップ
とを更に有する、請求項１記載のアーティファクト低減方法。
【請求項８】
前記ビットストリーム情報は、量子化パラメータを有する、請求項７記載のアーティファクト低減方法。
【請求項９】
前記付加されるノイズはガウス雑音である、請求項１記載のアーティファクト低減方法。
【請求項１０】
前記付加されるノイズはラプラス雑音である、請求項１記載のアーティファクト低減方法。
【請求項１１】
ビデオストリームを復号化するステップと、
復号化に続き、前記ビデオストリームの前記画像の少なくとも１つの画素に、画像の少なくとも１つの他の画像の付加的ノイズに関連した量のノイズを付加するステップ
とを有する、ビデオストリームのアーティファクト低減方法。
【請求項１２】
復号化された画像を生じるために、入力される符号化されたビデオストリームを復号化するビデオデコーダと、
将来の画像を復号化する時に、前記デコーダにより用いられるため、少なくとも１つの予め復号化された画像を格納する参照画像格納部と、
復号化された画像の少なくとも１つの画素に付加するために、少なくとも１つの前の画像の少なくとも１つの画素の付加的ノイズに関連する量のノイズを生成するノイズ発生器と、
前記ノイズ発生器により生成されたノイズと前記デコーダからの復号化された画像とを加算する加算部と、
加算されたノイズと復号化された画像をクリップするクリッパー
とを有する、アーティファクトを低減するために、符号化されたビデオストリームを復号化する、デコーダ装置。
【請求項１３】
前記ノイズ発生器は、有限インパルス応答フィルタの具体例を使用する、請求項１２記載のデコーダ装置。
【請求項１４】
前記ノイズ発生器は、無限インパルス応答フィルタの近似を使用する、請求項１２記載のデコーダ装置。
【請求項１５】
前記ノイズ発生器は、復号化された画像と前記デコーダから供給されるビットストリーム情報に従ってノイズを発生する、請求項１２記載のデコーダ装置。
【請求項１６】
前記ビットストリーム情報は、量子化パラメータを有する、請求項１２記載のデコーダ装置。
【請求項１７】
前記ノイズ発生器により続けて利用されるために、前記ノイズ情報を格納するノイズ画像格納部を更に有する、請求項１２記載のデコーダ装置。
【請求項１８】
前記ノイズ発生器は、ガウス雑音を付加する、請求項１２記載のデコーダ装置。
【請求項１９】
前記ノイズ発生器は、ラプラス雑音を付加する、請求項１２記載のデコーダ装置。
【請求項２０】
復号化された画像を生じるために、入力される符号化されたビデオストリームを復号化するビデオデコーダと、
将来の画像を復号化する時に、前記デコーダにより用いられるため、少なくとも１つの予め復号化された画像を少なくとも１つ格納する参照画像格納部と、
復号化された少なくとも１つの画素に付加するために、復号化された画像と前記デコーダからのビットストリーム情報に従って、前の画像の少なくとも１つの画素に付加したノイズに関連する量のノイズを生成するノイズ発生器と、
前記ノイズ発生器により生成されたノイズと前記デコーダからの復号化された画像とを加算する加算部と
加算されたノイズと復号化された画像をクリップするクリッパー
とを有する、アーティファクトを低減するために、符号化されたビデオストリームを復号化する、デコーダ装置。
【請求項２１】
前記ビットストリーム情報は、量子化パラメータを有する、請求項２０記載のデコーダ装置。
【請求項２２】
前記ノイズ発生器は、有限インパルス応答フィルタの具体例を使用する、請求項２０記載のデコーダ装置。
【請求項２３】
前記ノイズ発生器は、無限インパルス応答フィルタの近似を使用する、請求項２０記載のデコーダ装置。
【請求項２４】
前記ノイズ発生器により続けて利用されるために、前記ノイズ情報を格納するノイズ画像格納部を更に有する、請求項２０記載のデコーダ装置。
【請求項２５】
前記ノイズ発生器は、ガウス雑音を付加する、請求項２０記載のデコーダ装置。
【請求項２６】
前記ノイズ発生器は、ラプラス雑音を付加する、請求項２０記載のデコーダ装置。
【請求項２７】
復号化された画像を生じるために、入力される符号化されたビデオストリームを復号化するビデオデコーダと、
将来の画像を復号化する時に、前記デコーダにより用いられるため、前記デコーダにより予め復号化された画像を少なくとも１つ格納する参照画像格納部と、
復号化された画像の少なくとも１つの画素に付加するために、前の画像の画素に付加したノイズに関連する量のノイズを生成するノイズ発生器と、
前記ノイズ発生器により続けて用いられる前記ノイズ情報を格納するノイズ画像格納部と、
前記ノイズ発生器により生成されたノイズと前記デコーダからの復号化された画像とを加算する加算部と
加算されたノイズと復号化された画像をクリップするクリッパー
とを有する、アーティファクトを低減するために、符号化されたビデオストリームを復号化する、デコーダ装置。
【請求項２８】
前記ノイズ発生器は、有限インパルス応答フィルタの具体例を使用する、請求項２７記載のデコーダ装置。
【請求項２９】
前記ノイズ発生器は、無限インパルス応答フィルタの近似を使用する、請求項２７記載のデコーダ装置。
【請求項３０】
前記ノイズ発生器は、ガウス雑音を付加する、請求項２７記載のデコーダ装置。
【請求項３１】
前記ノイズ発生器は、ラプラス雑音を付加する、請求項２７記載のデコーダ装置。
【請求項３２】
復号化された画像を生じるために、入力される符号化されたビデオストリームを復号化するビデオデコーダと、
将来の画像を復号化する時に、前記デコーダにより用いられるため、少なくとも１つの予め復号化された画像を格納する参照画像格納部と、
復号化された画像の少なくとも１つの画素に付加するために、前記画像の少なくとも１つの画素に付加したノイズに関連する量のノイズを生成するノイズ発生器と、
前記ノイズ発生器により生成されたノイズと前記デコーダからの復号化された画像とを加算する加算部と
加算されたノイズと復号化された画像をクリップするクリッパー
とを有する、アーティファクトを低減するために、符号化されたビデオストリームを復号化する、デコーダ装置。
【発明の詳細な説明】
【技術分野】
【０００１】
本発明は符号化されたビデオストリームの復号化に関連し、アーティファクトを低減する技術に関する。
【背景技術】
【０００２】
底ビットレートで圧縮されたビデオストリームの復号化は、視聴者の目を引く顕著なアーティファクトを引き起こす傾向がある。ブロックノイズと構造的ノイズは、ブロックベースの圧縮技術を用いた場合に生じる一般的なアーティファクトである。人間の視覚システムは、ある種のアーティファクトに非常に敏感である。従って、そのようなアーティファクトは他の種のアーティファクトより目立ち不快である。復号化されたストリームへのランダムノイズの付加は、そのような目立った圧縮によるアーティファクトを低減できる。しかしランダムノイズの付加により生じるフレーム間の大きな差異は、それ自体が目立った不快なアーティファクトを生じ得る。
【０００３】
ディザ信号の付加は、イメージアーティファクトに対する人間の感度を低減できる。例えば、アーティファクトの疑似輪郭を隠したり遮ったりする。ある従来技術は、ブロック効果を隠すため、フィルム粒子に基づくランダムノイズを画像へ付加することを提案している。そのようなランダムノイズを付加する論理的根拠は、不規則なエラーは構造的または関連するエラーより忘れ易いことによる。別の従来技術は、圧縮によるアーティファクトを隠すため、ビデオストリームへのディザ信号の付加を提案している。かつて従来技術は、ＪＶＴ符号化規格として一般に知られる、ＩＴＵ／ＩＳＯ  Ｈ．２６４動画像符号化規格のインループ・デブロッキングフィルタ内のビデオ符号化及び復号化処理に、ランダムノイズディザ信号を付加することを提案した。付加されるべきディザ信号の量は、ブロックの縁に関連する画素の位置に依存する。別の従来技術は、ビデオ符号化の後で、コンフォートノイズとしてランダムノイズを付加することを提案している（つまり、「後処理」としてノイズを付加する）。付加されるノイズの量は、量子化パラメータに依存し、空間的に隣接する画素へ付加されるノイズの量に依存する。「コンフォートノイズ」という語は、音声圧縮において、聞き手にとって不快となる完全な無音を避けるため、受信側で発生されるノイズパターンを意味するノイズの利用に由来する。
【０００４】
ノイズの付加によりアーティファクトを低減する従来技術は、一般的に、一時的な不自然さ、つまりフレーム間の大きな差異の発生という危険を冒して、空間的アーティファクトを低減する。従って、符号化されたビデオストリームを復号化する間に、アーティファクトを低減し、以上に述べた不利益を克服する技術が必要とされる。
【発明の開示】
【課題を解決するための手段】
【０００５】
本発明の原理の好適な実施の形態では、復号化の間にビデオストリームのアーティファクトを低減する方法を提供する。本方法はビデオストリームを復号化することから始まる。復号化に続き、前の画像内の画素の付加的ノイズに関連する量のノイズを各画素に付加することにより、ビデオストリームにノイズを付加する。従って、本発明の原理によると、一時的なノイズの相関関係は、付加的ノイズの決定を支援し、フレーム間の大きな差異、つまり従来のノイズ付加技術の不利益を低減する。
【０００６】
本発明の原理の別の実施例では、付加されるノイズを導出する前の画像は、表示された画像である（つまり、既にノイズを付加された復号化された画像である）。更に別の実施例では、前の画像は既に復号化された画像である。
【実施例】
【０００７】
本発明の原理に従い、復号化済みの信号へ、前の画像の画素の付加的ノイズに関連した量のディザ信号を含むランダムノイズを付加することは、本来の画質の向上に役立つ。図１は、復号化の後でノイズを付加する、第１のデコーダ装置１０のブロック概略図を示す。デコーダ装置１０は、入力された符号化されたビデオストリームを復号化するデコーダ１２を有する。デコーダ１２の設計は、入力されるビデオストリームを符号化するために用いられている圧縮形式に依存する。好適な実施の形態では、入力されるビデオストリームは、広く知られたＩＴＵ／ＩＳＯ  Ｈ．２６４規格を用いて圧縮される。このような環境では、デコーダ１２は従来知られているＨ．２６４デコーダの形式をとる。参照画像格納部１４は、デコーダ１２により復号化された画像を、将来の画像を復号化する時にデコーダにより利用するために格納する。
【０００８】
加算器１８は、デコーダ１２により復号化された画像のそれぞれとノイズ発生器１６からのノイズを加算する。クリッパー２０は、加算器１８により結果として出力された信号をクリップし、アーティファクトを低減した表示用の復号化された画像を生じる。注意すべき事は、ノイズの付加は復号化された画像が参照画像格納部１４に格納された後に行われることである。これは続いて入力される画像を正しく復号するために、参照画像は変更されてはならないからである。
【０００９】
各復号化された画像に付加される、ノイズ発生器１６からのノイズ信号の大きさは、基本的にいくつかの異なる要素に依存する。ノイズの付加に関する要素をより理解するため、付加された画素のノイズ信号を表すＮ（ｋ，ｘ，ｙ）、復号化された画素を表すＰ（ｋ，ｘ，ｙ）、及びビデオシーケンスのｋ番目の画像の表示された画素（ｘ，ｙ）を表すＤ（ｋ，ｘ，ｙ）をそれぞれ用いる。表示された画像のｋ番目の画素は、復号化された画素とノイズ信号との和になり、次の関係がある。
【００１０】
【数１】
2007503166.tif 000003
ビデオシーケンスへのノイズ信号の付加による視覚的影響は、単一の画像に付加する場合より、ノイズ信号の大きさを決定する際の決定要因になる。本発明の原理によると、ノイズ発生器１６は、画像内の少なくとも１つの画素の付加的ノイズ信号の大きさを、少なくとも１つの前に表示された画像、つまり既にノイズを付加された復号化された画像内の少なくとも１つの画素の付加的ノイズ信号の大きさと関連付ける。本発明の別の実施例では、一時的な関連付けは、ノイズを含む前に表示された画像よりもむしろ、予め復号化された（ノイズを含まない）画像に基づく。ノイズは基本的に各画素に付加されるが、コンフォートノイズは全ての画素ではなく、一部の画素に付加できる。
【００１１】
第１の実施例では、一時的な関連付けによるノイズの付加は、相関係数α、０≦α≦１を用い、付加されたノイズとの次の関係に従う。
【００１２】
【数２】
2007503166.tif 000004
ここでＲ（ｋ，ｘ，ｙ）は、例えばガウス又はラプラス分布のような、何らかの種類の乱数分布を用いて生成された乱数である。乱数発生は、参照テーブルを用いて生成できる。乱数Ｒ（ｋ，ｘ，ｙ）は、フィルム粒子ノイズの生成に用いられるような空間相関も含む。
【００１３】
［数２］のαは１より小さい値であり、αで除してはならない。［数２］は次の通り単純化できる。
【００１４】
【数３】
2007503166.tif 000005
ここで、スケール変数ｂは、分割の近似に要求される精度に基づき選択され、ａ＝ｒｏｕｎｄ（α＊２ｂ）である。
図２は、復号化の後でビデオ画像に一時的に関連するノイズを付加するデコーダ装置１００のブロック概略図であり、本発明の第２の説明に役立つ実施例である。図２のデコーダ装置１００は、図１のデコーダ装置１０と共通する要素を有する。従って、図３で用いられる類似の参照番号は、類似の要素を示す。図２のデコーダ装置１００は、ノイズ発生器１６’に復号化された画像と、復号化された画像に含まれるビットストリーム情報の両方を提供するビデオデコーダ１２’を含む。ビデオデコーダ１２’により出力されたビットストリーム情報は、ノイズ発生器に入力される量子化パラメータを含む。圧縮のアーティファクトの重大度は、量子化パラメータに高い値が用いられた時に生じる更に重大な圧縮のアーティファクトと共に、量子化パラメータに関連づけられる。付加されたコンフォートノイズの強度は、量子化パラメータの値の増加に伴い増加する。図３は、復号化の後でビデオ画像に一時的に関連するノイズを付加するデコーダ装置１０００のブロック概略図であり、本発明の第３の説明に役立つ実施例である。またデコーダ装置１０００は［数１］及び［数２］に適合する。図３のデコーダ装置１０００は、図２のデコーダ装置１００と共通する要素を有する。従って、図３で用いられる類似の参照番号は、類似の要素を示す。図２のデコーダ装置１００と同様に、図３のデコーダ装置１０００は、ノイズ発生器１６’に復号化された画像と、復号化された画像に含まれるビットストリーム情報の両方を提供するビデオデコーダ１２’を含む。図３のデコーダ装置１０００は、図２のデコーダ装置１００とある一面において異なる。図２のデコーダ装置１００と異なり、図３のデコーダ装置１０００は、ノイズ発生器１６により続けて利用されるｋ番目の画像のノイズ信号Ｎ（ｋ，ｘ，ｙ）を格納する、ノイズ画像格納部１７を含む。図３のデコーダ装置１０００は、それぞれ図１、図２のデコーダ装置１０、１００より大きいメモリ帯域を必要とする。各表示された画像に対し、図３のデコーダ装置１０００は、前に表示された画像のノイズ信号にアクセスしなければならず、また現在の画像のノイズ信号を格納しなければならない。
【００１５】
［数３］を図３のデコーダ装置１０００のようなデコーダ装置へ実装するには、一時的にＩＩＲ（無限インパルス応答）フィルタを具体化する必要がある。このようなＩＩＲフィルタは１つ以上のフィルタタップを用いることにより生成できる。このようなＩＩＲフィルタはまた、一般的に高次ＦＩＲフィルタにより、要求される数のタップｔを用いて近似できる。
【００１６】
【数４】
2007503166.tif 000006
ＦＩＲフィルタの手法は、図２のデコーダ装置１００を用いて実現できる。前のノイズＮよりはむしろ、前の乱数ＲのみがＦＩＲフィルタの手法に用いられるので、メモリ帯域は大幅に低減される。
【００１７】
ノイズを付加することにより、符号化されたビデオストリームを復号化する際に、アーティファクトを低減する技術を以上に述べた。
【図面の簡単な説明】
【００１８】
【図１】符号化されたビデオストリームを復号化すると共にアーティファクトを低減する、本発明の原理の第１の実施例のビデオデコーダのブロック概略図を示す。
【図２】符号化されたビデオストリームを復号化すると共にアーティファクトを低減する、本発明の原理の第２の実施例のビデオデコーダのブロック概略図を示す。
【図３】符号化されたビデオストリームを復号化すると共にアーティファクトを低減する、本発明の原理の第３の実施例のビデオデコーダのブロック概略図を示す。
【図１】
2007503166.tif 000007
【図２】
2007503166.tif 000008
【図３】
2007503166.tif 000009
【手続補正書】
【提出日】平成17年5月5日(2005.5.5)
【手続補正１】
【補正対象書類名】特許請求の範囲
【補正対象項目名】全文
【補正方法】変更
【補正の内容】
【特許請求の範囲】
【請求項１】
ビデオストリームを復号化するステップと、
復号化に続き、前記ビデオストリームの画像の少なくとも１つの画素に、少なくとも１つの前の画像に付加されたノイズに関連した量のノイズを付加するステップ
とを有する、ビデオストリームのアーティファクト低減方法。
【請求項２】
前記少なくとも１つの前の画像は、予め表示された画像を有する、請求項１記載のアーティファクト低減方法。
【請求項３】
前記少なくとも１つの前の画像は、予め復号化された画像を有する、請求項１記載のアーティファクト低減方法。
【請求項４】
ノイズの量は、０≦α≦１を満たす値を有する相関係数αに従って関係づけられる、請求項１記載のアーティファクト低減方法。
【請求項５】
ノイズの量は、有限インパルス応答（ＦＩＲ）フィルタの具体例を用いて関連付けられる、請求項１記載のアーティファクト低減方法。
【請求項６】
ノイズの量は、無限インパルス応答（ＩＩＲ）フィルタの近似を用いて関連付けられる、請求項１記載のアーティファクト低減方法。
【請求項７】
前記ビデオストリームからビットストリーム情報を抽出するステップと、
前記ビットストリーム情報に従って付加されるノイズの強度を決定するステップ
とを更に有する、請求項１記載のアーティファクト低減方法。
【請求項８】
前記ビットストリーム情報は、量子化パラメータを有する、請求項７記載のアーティファクト低減方法。
【請求項９】
前記付加されるノイズはガウス雑音である、請求項１記載のアーティファクト低減方法。
【請求項１０】
前記付加されるノイズはラプラス雑音である、請求項１記載のアーティファクト低減方法。
【請求項１１】
ビデオストリームを復号化するステップと、
復号化に続き、前記ビデオストリームの前記画像の少なくとも１つの画素に、画像の少なくとも１つの他の画像の付加的ノイズに関連した量のノイズを付加するステップ
とを有する、ビデオストリームのアーティファクト低減方法。
【請求項１２】
復号化された画像を生じるために、入力される符号化されたビデオストリームを復号化するビデオデコーダと、
将来の画像を復号化する時に、前記デコーダにより用いられるため、少なくとも１つの予め復号化された画像を格納する参照画像格納部と、
復号化された画像の少なくとも１つの画素に付加するために、少なくとも１つの前の画像の少なくとも１つの画素の付加的ノイズに関連する量のノイズを生成するノイズ発生器と、
前記ノイズ発生器により生成されたノイズと前記デコーダからの復号化された画像とを加算する加算部と、
加算されたノイズと復号化された画像をクリップするクリッパー
とを有する、アーティファクトを低減するために、符号化されたビデオストリームを復号化する、デコーダ装置。
【請求項１３】
前記ノイズ発生器は、有限インパルス応答フィルタの具体例を使用する、請求項１２記載のデコーダ装置。
【請求項１４】
前記ノイズ発生器は、無限インパルス応答フィルタの近似を使用する、請求項１２記載のデコーダ装置。
【請求項１５】
前記ノイズ発生器は、復号化された画像と前記デコーダから供給されるビットストリーム情報に従ってノイズを発生する、請求項１２記載のデコーダ装置。
【請求項１６】
前記ビットストリーム情報は、量子化パラメータを有する、請求項１５記載のデコーダ装置。
【請求項１７】
前記ノイズ発生器により続けて利用されるために、前記ノイズ情報を格納するノイズ画像格納部を更に有する、請求項１２記載のデコーダ装置。
【請求項１８】
前記ノイズ発生器は、ガウス雑音を付加する、請求項１２記載のデコーダ装置。
【請求項１９】
前記ノイズ発生器は、ラプラス雑音を付加する、請求項１２記載のデコーダ装置。
【請求項２０】
復号化された画像を生じるために、入力される符号化されたビデオストリームを復号化するビデオデコーダと、
将来の画像を復号化する時に、前記デコーダにより用いられるため、少なくとも１つの予め復号化された画像を少なくとも１つ格納する参照画像格納部と、
復号化された少なくとも１つの画素に付加するために、復号化された画像と前記デコーダからのビットストリーム情報に従って、前の画像の少なくとも１つの画素に付加したノイズに関連する量のノイズを生成するノイズ発生器と、
前記ノイズ発生器により生成されたノイズと前記デコーダからの復号化された画像とを加算する加算部と
加算されたノイズと復号化された画像をクリップするクリッパー
とを有する、アーティファクトを低減するために、符号化されたビデオストリームを復号化する、デコーダ装置。
【請求項２１】
前記ビットストリーム情報は、量子化パラメータを有する、請求項２０記載のデコーダ装置。
【請求項２２】
前記ノイズ発生器は、有限インパルス応答フィルタの具体例を使用する、請求項２０記載のデコーダ装置。
【請求項２３】
前記ノイズ発生器は、無限インパルス応答フィルタの近似を使用する、請求項２０記載のデコーダ装置。
【請求項２４】
前記ノイズ発生器により続けて利用されるために、前記ノイズ情報を格納するノイズ画像格納部を更に有する、請求項２０記載のデコーダ装置。
【請求項２５】
前記ノイズ発生器は、ガウス雑音を付加する、請求項２０記載のデコーダ装置。
【請求項２６】
前記ノイズ発生器は、ラプラス雑音を付加する、請求項２０記載のデコーダ装置。
【請求項２７】
復号化された画像を生じるために、入力される符号化されたビデオストリームを復号化するビデオデコーダと、
将来の画像を復号化する時に、前記デコーダにより用いられるため、前記デコーダにより予め復号化された画像を少なくとも１つ格納する参照画像格納部と、
復号化された画像の少なくとも１つの画素に付加するために、前の画像の画素に付加したノイズに関連する量のノイズを生成するノイズ発生器と、
前記ノイズ発生器により続けて用いられる前記ノイズ情報を格納するノイズ画像格納部と、
前記ノイズ発生器により生成されたノイズと前記デコーダからの復号化された画像とを加算する加算部と
加算されたノイズと復号化された画像をクリップするクリッパー
とを有する、アーティファクトを低減するために、符号化されたビデオストリームを復号化する、デコーダ装置。
【請求項２８】
前記ノイズ発生器は、有限インパルス応答フィルタの具体例を使用する、請求項２７記載のデコーダ装置。
【請求項２９】
前記ノイズ発生器は、無限インパルス応答フィルタの近似を使用する、請求項２７記載のデコーダ装置。
【請求項３０】
前記ノイズ発生器は、ガウス雑音を付加する、請求項２７記載のデコーダ装置。
【請求項３１】
前記ノイズ発生器は、ラプラス雑音を付加する、請求項２７記載のデコーダ装置。
【請求項３２】
復号化された画像を生じるために、入力される符号化されたビデオストリームを復号化するビデオデコーダと、
将来の画像を復号化する時に、前記デコーダにより用いられるため、少なくとも１つの予め復号化された画像を格納する参照画像格納部と、
復号化された画像の少なくとも１つの画素に付加するために、前記画像の少なくとも１つの画素に付加したノイズに関連する量のノイズを生成するノイズ発生器と、
前記ノイズ発生器により生成されたノイズと前記デコーダからの復号化された画像とを加算する加算部と
加算されたノイズと復号化された画像をクリップするクリッパー
とを有する、アーティファクトを低減するために、符号化されたビデオストリームを復号化する、デコーダ装置。
【国際調査報告】
2007503166.tif 000010
2007503166.tif 000011
2007503166.tif 000012